(57)【要約】【課題】特別な端末を用いずに、映像と同期した比較的高音質の音声を聴取させることが可能なシステムを提供する。【解決手段】現在時刻を計時する機能を有し、無線通信可能な通信端末と、少なくとも映像データ、音声データ及び映像データと音声データの再生を開始する再生開始日時を有し、映像データ、音声データは再生開始日時の互いに異なる複数のパートに分割されているデータを記憶するサーバと、を備え、通信端末はサーバに対し再生開始日時と音声データとの送信を要求し、通信端末は、現在時刻とサーバから受信した再生開始日時との比較結果に基づいて、音声データの再生制御を行う通信システムである。【選択図】図１
2016127370.tif 000002
【特許請求の範囲】
【請求項１】
現在時刻を計時する機能を有し、無線通信可能な通信端末と、
少なくとも映像データ、音声データ及び映像データと音声データの再生を開始する再生開始日時を有し、映像データ、音声データは再生開始日時の互いに異なる複数のパートに分割されているデータを記憶するサーバと、
を備え、
前記通信端末は前記サーバに対し再生開始日時と音声データとの送信を要求し、前記通信端末は、現在時刻とサーバから受信した再生開始日時との比較結果に基づいて、音声データの再生制御を行う通信システム。
【請求項２】
通信端末は外部の時刻情報サーバより時刻情報を受信して現在時刻を修正する請求項１記載の通信システム。
【請求項３】
前記サーバは現在時刻を計時する機能を有し、外部の時刻情報サーバより時刻情報を受信して現在時刻を修正する請求項１記載の通信システム。
【請求項４】
前記サーバは位置情報をキーとして前記データを記憶する請求項１記載の通信システム。
【請求項５】
前記通信端末は前記サーバに対してデータの要求を、自己の位置情報とともに送信し、前記サーバは当該通信端末から受信した位置情報と、記憶しているデータに係る位置情報とを比較し、比較結果に基づいて、データを選択して、選択したデータを通信端末に送信する請求項１記載の通信システム。
【請求項６】
現在時刻を計時する機能を有し、近距離無線通信が可能な通信端末と、
少なくとも映像データ、音声データ、及び前記音声データの再生を開始する再生開始日時を有し、映像データ、音声データは再生開始日時が互いに異なる複数のパートに分割されているデータを記憶するサーバと、
ネットワークを介して前記データを受信する受信手段と、
前記受信したデータに含まれる映像データを表示する表示部と、
前記受信した音声データを受け入れて、当該音声データを近距離無線通信の規格に従って前記通信端末へ送出する近距離無線通信手段と、
を備える通信システム。
【発明の詳細な説明】
【技術分野】
【０００１】
本発明は、通信システムに関する。
【背景技術】
【０００２】
従来、店舗の外壁に大画面の映像を投影するとともに音声を報知して集客性を高めることが知られている（例えば、特許文献１参照）。また、映画館で映画を上映する際に、映画の音声を受信する受信機を用いて音声を受信機により聞くことが知られている（例えば、特許文献２参照）。
【先行技術文献】
【特許文献】
【０００３】
【特許文献１】特開2000-322009号公報
【特許文献２】特開平2-15729号公報
【発明の概要】
【発明が解決しようとする課題】
【０００４】
特許文献１に記載の技術では、集客性を高めるために大音量の音声を報知することとなる。しかしながら引用文献１の技術では音質が考慮されておらず、例えば音が割れるなど音質が劣化するという問題があった。また、特許文献２記載の技術においては、受信機を携帯する必要があり、煩わしさがある。
【課題を解決するための手段】
【０００５】
本発明の一態様によれば、現在時刻を計時する機能を有し、無線通信可能な通信端末と、少なくとも映像データ、音声データ及び映像データと音声データの再生を開始する再生開始日時を有し、映像データ、音声データは再生開始日時の互いに異なる複数のパートに分割されているデータを記憶するサーバと、を備え、上記通信端末は上記サーバに対し再生開始日時と音声データとの送信を要求し、上記通信端末は、現在時刻とサーバから受信した再生開始日時との比較結果に基づいて、音声データの再生制御を行う。
【０００６】
また、上記通信端末は外部のサーバより時刻情報を受信して現在時刻を修正する。
【０００７】
また、上記サーバは現在時刻を計時する機能を有し、上記外部のサーバより時刻情報を受信して現在時刻を修正する。
【０００８】
また、上記サーバは位置情報をキーとして上記データを記憶する。
【０００９】
また、上記通信端末は上記サーバに対してデータの要求を、自己の位置情報とともに送信し、上記サーバは当該通信端末から受信した位置情報と、記憶しているデータに係る位置情報とを比較し、比較結果に基づいて、データを選択して、選択したデータを通信端末に送信する。
【００１０】
本発明の他の態様によれば、現在時刻を計時する機能を有し、近距離無線通信が可能な通信端末と、少なくとも映像データ、音声データ、及び上記音声データの再生を開始する再生開始日時を有し、映像データ、音声データは再生開始日時が互いに異なる複数のパートに分割されているデータを記憶するサーバと、ネットワークを介して上記データを受信する受信手段と、上記受信したデータに含まれる映像データを表示する表示部と、上記受信した音声データを受け入れて、当該音声データを近距離無線通信の規格に従って上記通信端末へ送出する近距離無線通信手段と、を備え、表示部に映像データが表示されているときに、通信端末は近距離無線通信手段と無線通信して映像データに対応する音声データを受信し音声データの音を報知する。
【図面の簡単な説明】
【００１１】
【図１】通信システム１０の構成の一例を概略的に示す。
【図２】通信端末１の機能構成の一例を概略的に示す。
【図３】サーバ４の機能構成の一例を概略的に示す。
【図４】データファイルの構成の一例を概略的に示す。
【図５】通信システム１００の構成の一例を概略的に示す。
【図６】図５における通信処理の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、通信システム１０の構成の一例を概略的に示す。本実施形態において、通信システム１０は、通信端末１、及びサーバ４を含む。サーバ４は、送信サーバの一例である。
【００１４】
通信端末１は、使用者（以下、ユーザと称する場合がある）が所持する携帯電話である。通信端末１は、後述するサーバ４へデータファイルを要求し、当該要求に対する応答としてサーバ４からデータファイルを受信する。本実施形態では、例えば、通信端末１は、サーバ４からデータファイルを受信し、当該受信したデータファイルに含まれるデータに基づいて音声データを再生する。
【００１５】
通信端末１は、ネットワーク３を介して通信可能となっている。ここでネットワーク３は、３Ｇ、ＬＴＥ、及び４Ｇなどの携帯電話回線ネットワーク、ＷｉＦｉ（登録商標）及びＷｉＭＡＸ（登録商標）などの無線ＬＡＮネットワーク、及びインターネットを含む。ここでは通信端末１は、携帯電話回線ネットワークと無線ＬＡＮネットワークとの少なくとも一方に接続可能であるものとする。
【００１６】
サーバ４は、映像データと音声データとを関連付けて記憶しており、これら記憶している映像データと音声データとを送信する。具体的に、このサーバ４は、所定のタイミングで、記憶している映像データ及び音声データを投影制御装置７に送信する。
【００１７】
投影制御装置７はサーバ４から再生開始日時、映像データ及び音声データを受信する。投影制御装置７は、現在時刻を計時しており、受信したデータに含まれる再生開始日時が到来したと判断すると、受信したデータに含まれる映像データを投影部５に出力し、音声データをスピーカ９に出力する。投影部５は、プロジェクタ等であり、投影制御装置７から入力された映像データを、スクリーン６に投影する。スクリーン６は屋内外を問わず設置可能なものであれば、透過型、反射型のどちらでもよい。また、スクリーン６の代わりにビルなどの建造物の壁面をスクリーンに見立てて映像データを投影してもよい。またスピーカ９は、投影制御装置７から音声データの入力を受けて、音声として鳴動する。
【００１８】
これにより、スクリーン６及びスピーカ９の近傍にいる人はスクリーン６に投影される映像とスピーカ９が鳴動する音声とを視聴することができる。
【００１９】
ところで、スピーカ９から比較的離れたところに居る人は、スピーカ９からの音声を確実に聞くことが困難な場合がある。特に、スピーカ９が屋外にある場合、周囲の雑音などに音声が影響を受けて音声を聞き取りにくい場合がある。そこで従来、このスピーカ９の音量を大きめに制御していた。しかしながら音量を大きくすると、音が割れるなど、音質の面で問題が生じていた。この問題を解決するため、本実施形態では通信端末１で音声データを聞くことができるようにしたものである。
【００２０】
すなわち、本実施の形態において通信端末１は、サーバ４から音声データを含んだデータファイルを取得する。本実施の形態においてこのデータファイルには、ユーザに音声を報知する音声データと音声を再生する時刻を示す再生開始日時とが含まれる。また、このデータファイルは、位置情報を含んでもよい。
【００２１】
通信端末１は、サーバ４からデータファイルを取得すると、データファイルに含まれる再生開始日時を参照し、再生開始日時が到来したときに、当該データファイルに含まれる音声データを再生して報音部より鳴動する。
【００２２】
ここで通信端末１が、サーバ４よりデータファイルを取得するタイミングは、通信端末１において予め決められた間隔に従って、定期的にサーバ４に通信を行って取得することとすればよい。
【００２３】
このときサーバ４は、通信端末１からのデータファイルの取得要求に対し、通信端末１の位置情報を取得し、取得した位置情報がデータファイルに記憶されている位置情報と一致したときに、一致した位置情報に対応するデータファイルを通信端末１に送信することとする。ここで通信端末１の位置情報は、通信端末１から受信してもよいし、通信端末１との通信を管理する通信管理装置（例えば携帯電話通信網側のシステム（携帯電話通信網のシステムは、広く知られているように通信端末１の位置を管理している））より取得してもよい。
【００２４】
このように通信端末１は、サーバ４から取得したデータファイルに含まれる音声データを、当該音声データとともにデータファイルに含まれていた再生開始日時を参照して、当該再生開始日時が到来したときに再生する。なお、通信端末１がサーバ４にデータファイルの取得を要求したときに、サーバ４が取得した通信端末１の位置情報に対応するデータファイルが記憶されていないと判断すると、通信端末１に送信するデータファイルはないので、サーバ４は通信端末１に送信するデータファイルはない旨の情報を通信端末１に送信する。この場合、通信端末１は表示部に「再生する音声はありません」などの表示をすることとしてもよい。
【００２５】
これにより、ユーザがスピーカ９から離れているなど、周囲の雑音などに影響されて音声を聞き取りにくい場合でも、通信端末１が再生する音を聞くことで、サーバ４が再生する映像データとスピーカ９が鳴動している音声と同じ音声データとを視聴することが可能となる。この場合、スピーカ９が大音量で音声を鳴動する必要がなく、通信端末１のユーザは通信端末１が鳴動する、比較的高音質の音声を聞くことができるようになる。
【００２６】
管理装置８はサーバ４の管理者が操作する装置で、サーバ４に映像データや音声データの設定を行うものである。
【００２７】
図２に、通信端末１の機能構成の一例を概略的に示す。通信端末１は、ＣＰＵ２０、ＲＯＭ２１、ＲＡＭ２２、報音部２６、表示部２９、及び近距離通信部３１を有しており、またＣＰＵ２０はＲＯＭ２１またはＲＡＭ２２に格納されたプログラムを実行することで、機能的に、制御部２５と、時刻情報受信部２４、データファイル受信部２７、位置情報取得部２８、及び演算部３０を制御する。
【００２８】
ＣＰＵ２０は、ＲＯＭ２１やＲＡＭ２２に格納されたプログラムにしたがいＲＡＭ２２に記憶されている情報を使用しながら動作して、各部を制御する。ＲＯＭ２１はＣＰＵ２０によって実行されるプログラムを保持する。ＲＡＭ２２はＣＰＵ２０のワークメモリとして動作する。
【００２９】
時刻情報受信部２４は、図示しない外部のＮＴＰサーバからの時刻情報を受信する。受信した時刻情報は、現在時刻としてＲＡＭ２２に格納する。この時刻情報受信部２４はＣＰＵ２０により定期的にＮＴＰサーバから時刻情報を受信するよう制御される。
【００３０】
報音部２６は、制御部２５から入力される音声データを、人が可聴できる音に変換して出力する。具体的にこの報音部２６はＤ／Ａ変換器やスピーカ等を含み、制御部２５が出力する音声データをアナログの音声信号に変換して出力する。
【００３１】
制御部２５は、ＣＰＵ２０の制御の下、ネットワーク３を介して種々のデータを送受する。具体的にこの制御部２５は、ＣＰＵ２０から入力される指示に従って、ネットワーク３を介して指示された宛先へデータを送出する。
【００３２】
表示部２９は、ディスプレイ等であり、通信端末１を携帯電話機として機能させたときの通信相手先の電話番号や氏名、住所などを表示する。またこの表示部２９は、インターネット上のウェブサーバ等から受信した画像などを表示する。さらにこの表示部２９は、サーバ４より通信端末１に送信する音声データがない場合等において、制御部２５から入力される指示に従い、「再生する音声はありません」などの報知情報の表示を行う。
【００３３】
近距離通信部３１は、外部の通信機器と無線通信するもので、具体的にはbuletooth（登録商標）やiBeacon（商標）等の通信規格によって無線にて外部の通信機器と通信を行う。本実施の形態では、この近距離通信部３１は、制御部２５から入力される指示に従って、指示された宛先となる通信機器へデータを送出する。またこの近距離通信部３１は、無線にて通信機器から受信したデータを制御部２５へ出力する。
【００３４】
データファイル受信部２７は、制御部２５を介してサーバ４からデータファイルを受信する。データファイル受信部２７は、サーバ４から受信したデータファイルをＲＡＭ２２に格納する。
【００３５】
位置情報取得部２８は、通信端末１の位置情報を取得する。本実施の形態の一例では、制御部２５が携帯電話回線ネットワークとの通信機能を備え、図示しない携帯電話回線ネットワーク上の基地局（以下、単に「基地局」と呼ぶ）との通信に基づいて位置情報を得る。この場合、位置情報取得部２８は、通信端末１の周囲に設置されている複数の基地局から測位情報を受信し、受信した複数の測位情報に基づく演算により通信端末１の位置情報を取得する。そして位置情報取得部２８は、取得した位置情報をＲＡＭ２２に格納する。なお、この位置情報取得部２８による位置情報の取得方法は、周囲の基地局からの測位情報から演算する方法のほか、ＧＰＳを用いて取得する方法や加速度センサ、ジャイロなどによって自律的に位置を特定して算出する方法があり、本実施形態ではいずれの方法を用いてもよい。
【００３６】
演算部３０は、ＲＡＭ２２に格納されたデータファイルに含まれる位置情報と、位置情報取得部２８が取得した位置情報とを比較する。そして当該比較の結果を得て制御部２５に出力する。また、この演算部３０は、時刻情報受信部２４が計時している現在時刻と、ＲＡＭ２２に格納されたデータファイルに含まれる再生開始日時とを比較し、当該比較の結果を制御部２５に出力する。
【００３７】
制御部２５は、演算部３０が出力する比較の結果に基づいて、ＲＡＭ２２に格納されたデータファイルの音声データの再生制御を行う。この制御部２５による具体的な音声データの再生制御の方法については後に詳しく述べる。
【００３８】
またサーバ４の機能構成の一例を、図３に概略的に示す。サーバ４は、ＣＰＵやメモリ、ディスクシステム、通信手段等を備えた一般的なサーバ装置により実現され、機能的には、要求受入部４１、投影データ取得部４２、管理部４３、データファイル送信部４４、時刻データ取得部４５、映像データ／音声データ出力部４７を有する。
【００３９】
要求受入部４１は、通信端末１からデータファイルの要求を受け入れて、管理部４３に出力する。この通信端末１からのデータファイルの要求には、通信端末１の現在位置の情報が含まれてもよい。
【００４０】
投影データ取得部４２は、管理装置８から映像データ、音声データ、映像データを投影する際の周辺の位置情報、及び映像データと音声データを再生するタイミングを表す再生開始日時との入力を受けて、管理部４３に出力する。
【００４１】
管理部４３は、投影データ取得部４２から入力される映像データ、音声データ、映像データを投影する際の周辺の位置情報、及び映像データと音声データを再生する再生開始日時を関連付けてディスクシステムに格納する。具体的にここでは、図４に例示するように、位置情報をキーとして、映像データ、音声データ及び再生開始日時等を格納する。
【００４２】
図４の例では、投影の対象となる映像データ等のコンテンツ（（１），（２）…のそれぞれのコンテンツ）が、複数のパート（図４の例では１０秒ごとのパート）に分割されている。また、これらの各パートの映像データ等は、それぞれパート識別番号５２，５７…に対し、各パートの再生開始日時５３，５８…、映像データ５４，５９…及び、音声データ５５，６０…をそれぞれ関連付けたものとなっている。またこれらパートに分割されたコンテンツごとのデータ全体が、予め設定された地域的範囲（図４の例では緯度経度の範囲で設定されている）を持つ１つの位置情報５１，５６…をキーとして記録される。
【００４３】
これらのパートへの分割や、再生開始日時の設定、地域的範囲の設定等は、映像データの投影の管理を行う管理者が投影される映像の内容などを考慮して決定し、管理装置８を操作して入力するものとする。
【００４４】
時刻データ取得部４５は、図示しないＮＴＰサーバから時刻情報を取得し、取得した時刻情報を管理部４３に出力する。時刻データ取得部４５のＮＴＰサーバからの時刻情報取得タイミングは、予め設定されたタイミング、例えば１２時間毎に行う。
【００４５】
管理部４３は時刻を計時しており、時刻データ取得部４５が時刻情報を出力すると、当該時刻情報により、計時時刻を補正して設定する。またこの管理部４３は、コンテンツごとに映像データや音声データの送出先である投影制御装置７を特定する情報（ネットワークアドレス等）の設定を保持しているものとする。この設定もまた、管理者により行われる。
【００４６】
管理部４３は、サーバ４に格納されている各データファイルに含まれる再生開始日時を参照し、計時している現在時刻に一致（ここで現在時刻との一致とは例えば、現在時刻以前であって、現在時刻との差が所定範囲内にあることとすればよい）するものを検索する。ここで計時している現在時刻に一致するものを見出すと、管理部４３は、当該見出した再生開始日時を含むパート以降のパートの再生開始日時、映像データ、及び音声データを映像データ／音声データ出力部４７に出力する。またこのとき管理部４３は、当該見出した再生開始日時を含むコンテンツの送出先として予め設定された、投影制御装置７を特定する情報を併せて、映像データ／音声データ出力部４７に出力する。
【００４７】
さらに管理部４３は、所定のタイミングで、サーバ４に格納されているデータのうち、再生開始日時と音声データとの組を少なくとも一つ取り出し、取り出した再生開始日時と音声データとの組を少なくとも一つ含むデータファイルを生成して、当該データファイルをデータファイル送信部４４に出力する。ここで所定のタイミングは、例えば、通信端末１から音声データの要求を受けたときとする。
【００４８】
データファイル送信部４４は、管理部４３から受信したデータファイルを通信端末１に送信する。
【００４９】
映像データ／音声データ出力部４７は、管理部４３から入力された再生開始日時、映像データ及び音声データを、投影制御装置７宛に送信する。
【００５０】
以下、本実施形態の動作について説明する。なお、以下の説明で、サーバ４には、図４に示したような映像データ、音声データ及び再生開始日時が位置情報に関連付けられて設定記憶されているものとする。
【００５１】
ここでは具体的に、図４に例示するように、コンテンツ（１）について、その位置情報５１が「北緯：35°53′43″〜35°54′3″、東経：140°3′47″〜140°3′44″」と設定されているものとする。またこのコンテンツ（１）に係る映像データ５４や音声データ５５は複数のパートに分割され、各パートの映像データ、音声データの再生開始日時５３がそれぞれ設定されているものとする。例えば第１のパートについて再生開始日時が「2014.09.01  14：00：00」と設定されている。
【００５２】
またコンテンツ（２）については、その位置情報５６が「北緯：35°54′5″〜35°53′59″、東経：140°3′17″〜140°3′13″」に設定されている。またコンテンツ（２）についても、映像データ５９や音声データ６０は複数のパートに分割され、各パートの映像データ、音声データの再生開始日時５８がそれぞれ設定されている。例えば、このコンテンツ（２）の第１のパートの再生開始日時は「2014.10.01  14：00：00」と設定されている。
【００５３】
このようにサーバ４は位置情報をキーとしてコンテンツに係る映像データ及び音声データを設定記憶している。サーバ４は、通信端末１からデータファイルの送信要求を受け入れて、当該要求を行った通信端末１の位置情報を取得する。ここでサーバ４は、通信端末１の位置情報を、通信端末１から上記要求とともに受信してもよいし、携帯電話回線ネットワークの情報を用いて通信端末１の位置情報を得てもよい。
【００５４】
サーバ４は、当該取得した通信端末１の位置情報と、サーバ４が格納している各コンテンツに関連付けられた位置情報と比較する。そして通信端末１の位置情報に一致する位置情報に関連付けられたコンテンツを検索する。ここで位置情報の一致とは、コンテンツに関連付けられた位置情報が示す範囲に、通信端末１の位置情報が含まれることをいうものとする。
【００５５】
サーバ４はここで通信端末１の位置情報に一致する位置情報に関連付けられたコンテンツを見出すと、当該見出したコンテンツに含まれる各パートのデータからそれぞれ再生開始日時と音声データとを取り出して、これらを組として、少なくとも一つの、互いに関連付けられた再生開始日時と音声データとの組を含むデータファイルを生成して通信端末１へ送出する。
【００５６】
なお、サーバ４はこのとき、現在時刻よりも後である再生開始日時を含むパート内の再生開始日時と音声データとの組を選択して、当該選択した組を含むデータファイルを生成して通信端末１へ送出することとしてもよい。
【００５７】
また、サーバ４はＮＴＰサーバ等から取得した時刻データを基に現在時刻を計時している。サーバ４は、サーバ４が格納しているコンテンツの第１のパートの再生開始日時を参照し、当該計時している現在時刻に一致する、再生開始日時を検索する（ここで現在時刻との一致とは例えば、現在時刻以前であって、現在時刻との差が所定範囲内にあることとすればよい）。
【００５８】
サーバ４は、上記検索により見出された再生開始日時（計時している現在時刻に一致する再生開始日時）があると、当該再生開始日時を第１のパートに含むコンテンツについて、当該第１パートに含まれる再生開始日時と、各パートに含まれる映像データ、及び音声データを、投影制御装置７に送信する。
【００５９】
投影制御装置７は第１パートの再生開始日時と、各パートに含まれる映像データ、及び音声データを受信する。また投影制御装置７は現在時刻を計時しつつ受信した第１パートの再生開始日時と比較しており、第１パートの再生開始日時が到来したと判断すると、第１パートの映像データ及び音声データから順に、各パートの映像データを、逐次的に投影部５に出力し、また各パートの音声データをスピーカ９に出力する。投影部５は入力された映像データをスクリーン６に投影し、スピーカ９は入力された音声データを音に変換して鳴動する。
【００６０】
このように、サーバ４に設定記憶された映像データ、音声データは、関連付けられた再生開始日時になったときに再生され、その映像データはスクリーン６に投影され、音声データはスピーカ９より報知される。よって、スクリーン６、スピーカ９の周辺に居る人々は映像と音声を視聴できる。
【００６１】
ここで、通信端末１のユーザは、その居る場所がスピーカ９から離れていたり、周囲の雑音などに音声が影響を受けて音声を聞き取りにくい場合など、スピーカ９の音が聞き取りにくいなどの事情がある場合、または比較的よい音質の音声データが得たい場合は、当該通信端末１のユーザは、通信端末１を操作して、サーバ４に対してデータファイルの送信要求を行う。
【００６２】
この送信要求は、ネットワーク３を介してサーバ４に送信される。このとき、送信要求には、通信端末１の位置情報も含んで送信してもよい。この送信要求は、サーバ４で受信され、サーバ４は、当該要求の受信元である通信端末１の位置情報を取得する。そして、サーバ４は、通信端末１の位置情報とデータファイルに設定記憶されている位置情報とを比較し、通信端末１の位置情報がデータファイルに設定記憶されている位置情報の範囲に該当するコンテンツを選択する。
【００６３】
管理部４３は、選択したコンテンツから、各パートの再生開始日時と音声データとの組を取り出して、各パートの再生開始日時と音声データとの組を含むデータファイルを、要求元の通信端末１へ送信する。
【００６４】
通信端末１は、データファイルを受信し、データファイルに含まれる各パートの再生開始日時と現在時刻とを比較し、再生開始日時に間に合う（現在時刻が再生開始日時より前であって、現在日時と再生開始日時とが所定範囲内にある）パートの音声データをデコードし、再生開始日時が到来したときに、当該デコードした音声データの再生を行って、音声を鳴動する。これにより通信端末１のユーザは、通信端末１の報音部２６から、スクリーン６に投影された映像と同期した音声を聞くことが可能となる。
【００６５】
具体的に図４のコンテンツ（１）では、通信端末１が位置情報５１の範囲内に居る場合、現在時刻が第１のパートの再生開始日時である「2014.09.01  14：00：00」が到来したときに、対応するパートの音声データ「WWWWW」を再生する。
【００６６】
なお、音声データの受信のタイミングによって、現在時刻が第１のパートの再生開始日時である「2014.09.01  14：00：00」を過ぎており、第２パートの再生開始日時「2014.09.01  14：00：10」より前であれば、当該第２パートの再生開始日時「2014.09.01  14：00：10」が到来したときに、第２パートの音声データ「XXXXX」を、当該第２パートの再生開始日時「2014.09.01  14：00：10」より再生する。
【００６７】
このように、通信端末１は、データファイルに含まれる再生開始日時と現在時刻とを比較し、再生開始日時が到来したパートの音声データを再生する。
【００６８】
なお、既に述べたように、各パートへの映像データや音声データの分割は、管理者によって行われてもよいし、サーバ４において予め設定された分割間隔（例えば１０秒）ごとのデータとして、サーバ４により人為的操作を経ずに分割が行われてもよい。この分割間隔は、音声データを通信端末１に送信するため、無線ネットワークの混雑状況や通信端末１のユーザが移動することなどを考慮して設定される。
【００６９】
また本実施の形態の別の例では、音声データを近距離無線通信により通信端末１に送出してもよい。図５を用いて、本発明のこの実施態様について説明する。なお、ここまでの説明では、映像データはスクリーン６に投影されるものとしたが、本実施の形態はこれに限らず、ディスプレイ等に表示するものであってもよい。
【００７０】
図５は、本実施の形態の通信システム１００の構成の一例を概略的に示したものである。図５において、同様の機能構成を有するものについては同じ符号を付してその繰り返しての説明を省略するものとする。
【００７１】
データファイル受信部７３は、サーバ４からネットワーク３を介してコンテンツのデータ（第１パートの再生開始日時と、各パートに含まれる映像データ、及び音声データ）を受信する。本実施の形態のこの例において、コンテンツのデータは図４で示したものと同様で構わないが、サーバ４が通信端末１の位置情報を確認する必要がないので、位置情報をキーとするする必要は必ずしもなく、位置情報を用いずに、映像データ、音声データ及び再生開始日時をサーバ４側で格納していればよい。
【００７２】
データファイル受信部７３は、現在時刻を計時しており、受信したデータに含まれる再生開始日時（第１パートの再生開始日時）が到来したか否かを判断する。ここで、当該再生開始日時が到来したと判断すると、データファイル受信部７３は、受信したデータに含まれる映像データを映像データ表示部７２に出力し、音声データを音声データ出力部７１に出力する。
【００７３】
映像データ表示部７２は、受信した映像データを人が可視できる情報として表示する。具体的に、この映像データ表示部７２は、既に述べた例と同様、プロジェクタとスクリーンとを含んで構成されていてもよいし、ディスプレイ装置等であってもよい。
【００７４】
音声データ出力部７１は、入力された音声データを近距離無線通信部７６に出力する。またこの音声データ出力部７１は、スピーカを備えて、スピーカにより入力された音声データを鳴動してもよい。
【００７５】
近距離無線通信部７６は、受信した音声データをbuletoothやiBeacon等の通信規格によって、通信端末１へ音声データを送信する。これにより、通信端末１は、近距離無線通信部７６からの音声データを受信して通信端末１の報音部より音声データに係る音声を鳴動することが可能となる。
【００７６】
本実施の形態のこの例は、例えば電車中などで、車両に備えられたディスプレイに表示される映像を見ながら、通信端末１を使用して音声を聞き取るというような用途に利用できる。この場合、データファイル受信部７３、映像データ表示部７２、音声データ出力部７１及び近距離無線通信部７６は車両側に設置され、サーバ４は通信事業者のネットワークシステム内に設置される。
【００７７】
具体的には図６に例示するように。通信端末１を所持するユーザが電車に乗って映像データ表示部７２に表示される映像を見て音声を聞きたい場合、ユーザは通信端末１を操作して、通信端末１と近距離無線通信部７６との通信が可能な状態に設定する。本実施形態の近距離無線通信は、buletoothやiBeacon等の通信規格を用いればよく、設定方法は広く知られているので、詳しい説明を省略する。
【００７８】
通信端末１と近距離無線通信部７６とが通信可能な状態となると、近距離無線通信部７６が音声データ出力部７１に音声データを出力するよう要求する。音声データ出力部７１は、この要求に応じて音声データを近距離無線通信部７６に出力する。近距離無線通信部７６は、受信した音声データをbuletoothやiBeacon等の通信規格に従って、通信端末１に送信する。通信端末１は近距離無線通信部７６からの音声データを受信して報音部より音声を報知する。通信端末１のユーザは、その音声を聞くことで、映像データ表示部に表示される映像と、それに同期した音声を視聴できることとなる。
【００７９】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【００８０】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００８１】
１，１０，１００  通信システム、３  ネットワーク、４  サーバ、５  投影部、６  スクリーン、７  投影制御装置、８  管理装置、９  スピーカ、２０  ＣＰＵ、２１  ＲＯＭ、２２  ＲＡＭ、２４  時刻情報受信部、２５  制御部、２６  報音部、２７  データファイル受信部、２８  位置情報取得部、２９  表示部、３０  演算部、４２  投影データ取得部、４３  管理部、４４  データファイル送信部、４５  時刻データ取得部、４７  映像データ／音声データ出力部、７１  音声データ受信部、７２  映像データ表示部、７３  データ受信部、７６  近距離無線通信部。
【図１】
2016127370.tif 000003
【図２】
2016127370.tif 000004
【図３】
2016127370.tif 000005
【図４】
2016127370.tif 000006
【図５】
2016127370.tif 000007
【図６】
2016127370.tif 000008